(57)【要約】 【課題】  本発明は、最も表出したい少なくとも一以上の宝石に対して、その外周に他の宝石を接してこの接した宝石によって支持固定し、該宝石の外周部分には立爪等を介在させずに遮るものをなくし、該宝石の外観をより鮮明かつ美的に表出し審美性の高い宝石の提供を課題とするとともに、その透過光や反射光に関して外周に位置する支持宝石によって更に変化を加え、装飾の幅を広げることを課題とする。【解決手段】  係る課題を解決するため、少なくとも３つ以上の宝石を支持台に支持する宝石の支持構造で、少なくとも一以上の宝石を他の二以上の宝石によって支持することによって、該少なくとも一以上の宝石を支持台に固定する宝石の支持構造を用いることによって前記課題を解決できる。【選択図】    図１
2007167395.tif 000002
【特許請求の範囲】
【請求項１】
少なくとも３つ以上の宝石を支持台に支持する宝石の支持構造であって、
少なくとも一以上の宝石を他の二以上の宝石によって支持することによって、該少なくとも一以上の宝石を支持台に固定する宝石の支持構造。
【請求項２】
少なくとも一以上の宝石のガードルに他の複数の宝石を接して配することによって該一以上の宝石を固定することを特徴とする請求項１に記載の宝石の支持構造。
【請求項３】
一以上の宝石を支持する支持宝石が立て爪によって支持台に支持されることを特徴とする請求項１又は２のいずれかに記載の宝石の支持構造。
【請求項４】
一以上の宝石を支持する支持宝石がロウ付けによって支持台又は他の支持宝石に支持されることを特徴とする請求項１乃至３のいずれかに記載の宝石の支持構造。
【請求項５】
宝石がダイヤモンド、エメラルド、サファイヤ、珊瑚、水晶、ルビー、ヒスイ、トパーズのいずれか一以上を含むものであることを特徴とする請求項１乃至４のいずれかに記載の宝石の支持構造。
【請求項６】
ネックレスの支持台に用いられることを特徴とする請求項１乃至５のいずれかに記載の宝石の支持構造。
【請求項７】
指輪の支持台に用いられることを特徴とする請求項１乃至５のいずれかに記載の宝石の支持構造。
【発明の詳細な説明】
【技術分野】
【０００１】
本発明は、ダイヤモンドその他の宝石の支持構造に関する。
【背景技術】
【０００２】
従来より、ダイヤモンドを含む各種の宝石類に関しては、装着するために土台に嵌着して用いられてきているものである。
例えば指輪に関してダイヤモンドを用いる場合には、指輪本体に立爪を有し、該立爪で宝石を挟み込んで押えることによって装着する支持構造が多用されている。
更に、立爪を用いず例えばダイヤモンドのパピリオン部を嵌入可能な凹部を有し、該凹部にキューレットを中心とするパビリオン部及び必要に応じてガードル部周辺までを嵌入して該ダイヤモンドを装着する支持構造を用いているものもある。
この他、特開２０００‐２３６９２２（特許文献１）が存在する。
この構成は指輪の本体部に形成した取り付け窪みに４つの固定爪を有し、この固定爪の間にダイヤモンドが配設されている構成である。
【０００３】
更に特開２００１‐８７０１６（特許文献２）も存在する。
かかる構成は、錐台形のクラウン部と錐形のパビリオン部からなる宝石を保持具により固定した装飾部材であって、３本以上の爪により構成される保持具の爪が宝石のクラウン部及びパピリオン部に線接触により密接する装飾部材である。
そのほかダイヤモンドに限らず他の宝石類に関しても同様に立爪や凹部への嵌着等によって装着するものが多用されている。
更に、指輪のほかネックレスやイヤリング或いはブローチ等他の身飾品類において宝石類を用いる場合にはその土台に宝石類を装着する際には立爪や凹み等によって装着するものである。
【特許文献１】特開２０００‐２３６９２２
【特許文献２】特開２００１‐８７０１６
【発明の開示】
【発明が解決しようとする課題】
【０００４】
以上の様に、土台部への宝石の装着は立て爪や爪部などの金属部材などによって行われるか或いは凹み部などへの嵌め込みによって行われるのが一般的である。
この場合複数の宝石類を一の土台に装着する場合にもそれぞれの宝石類に対して立爪や凹み部を以って装着するものである。
これらの場合、宝石類に関してその爪の配置や大きさによって宝石の光の透過の邪魔等になるものであり、その配置や大きさを検討して最適な立て爪を用いているものである。
従って、デザインの面からは極力立爪部分をなくすことが要求される反面宝石類のきっちりとした装着には一定程度の立爪を用いることが要求されるものである。
【０００５】
更に、凹部に宝石を嵌め込む形式においては、宝石類の反面が金属類の凹部に嵌め込まれることとなり、光の反射の輝きは得られるが、透過光による輝きは得られず、更には反射光においてもそのことを考慮した土台底面部を備えておくことが必要となってしまう。
従って、より自然に近くデザイン的に宝石類そのものの輝きを得られる何らかの支持構造の提供が望まれているものである。
【課題を解決するための手段】
【０００６】
本発明は、かかる課題を解決し、指輪に限らずネックレスやイヤリング或いはブローチ等他の身飾品類に関して宝石類を装着する土台部に関して、少なくとも一以上の宝石類に関しては立爪や凹み部を有さず他の宝石類によって少なくとも一以上の宝石類を支持可能とする支持構造を提供するものであり、該一以上の宝石類は宝石そのものの輝きを得られると共に他の宝石類とあいまって極めてデザイン的に優れた宝石類の支持構造保提供するものである。
係るため請求項１に係る発明は、少なくとも３つ以上の宝石を支持台に支持する宝石の支持構造であって、少なくとも一以上の宝石を他の二以上の宝石によって支持することによって、該少なくとも一以上の宝石を支持台に固定する宝石の支持構造よりなり、係る発明によって前記課題を解決できる。
【０００７】
次に請求項２に係る発明は、少なくとも一以上の宝石のガードルに他の複数の宝石を接して配することによって該一以上の宝石を固定する宝石の支持構造であり、係る発明であっても同様に課題を解決できる。
更に請求項３に係る発明は一以上の宝石を支持する支持宝石が立て爪によって支持台に支持される宝石の支持構造からなり、これによって支持宝石を支持でき、該支持宝石で支持すべき中心宝石の固定状態に支持できることとなる。
或いは請求項４に係る発明の様に、一以上の宝石を支持する支持宝石がロウ付けによって支持台又は他の支持宝石に支持される宝石の支持構造でもよい。
これらの場合請求項５に係る発明の様に宝石がダイヤモンド、エメラルド、サファイヤ、珊瑚、水晶、ルビー、ヒスイ、トパーズのいずれか一以上を含むものでもよく、又請求項６に係る発明の様にネックレスの支持台に用いられるものでも、請求項７に係る発明のように指輪の支持台に用いられるものであってもよい。
【発明の効果】
【０００８】
支持台上に支持すべき宝石に関し、最も表出したい少なくとも一以上の宝石に対して、その外周に他の宝石を接して支持固定することにより、該最も表出したい中心宝石を固定支持できると共に、該宝石の外周部分には立爪等を介在させず、なんらの遮りもなくすことができ、更に他の宝石が接する状態で配置することから、該宝石の外観がより鮮明かつ美的に表出できる。
従って、極めて審美性の高い宝石を提供できることとなる。
更に宝石に対して、その透過光や反射光を外周に位置する支持宝石によって更に変化を加えて配することができ、更には任意の宝石の種類の組み合わせ等も行えることとなり、装飾の幅を広げることも可能とする。
【発明を実施するための最良の形態】
【０００９】
図１は、本発明に係る宝石類の支持構造を用いた宝石の一例を示す図である。
まず、中央部に位置する一の宝石１はその上部方向と左右の斜め下方向のそれぞれ計３つのほぼ同じ大きさの宝石２のガードルに接して配設されており、該この大きな３つの宝石２のそれぞれの間にはやや小さい宝石３が計３つ配されていると共に該やや小さい宝石３は中央部に位置する一の宝石1のガードルに接しているものである。
この３つの大きい宝石２と3つのやや小さい宝石３はそれぞれ中央部に位置する中心宝石１と接しており、周囲から該中心宝石１を支持することとなり、支持宝石となる。
【００１０】
更にこの３つの大きい宝石２とやや小さい宝石1は、それぞれ土台５から突出形成されている立爪部５１で支持されている。
この様に構成することによって中心に位置する宝石１に関しては周囲から他の宝石即ち支持宝石によって支持できるものとなる。
これによって最も中心的に輝きを表出したい中心宝石については例えば金属部材などによって形成される立て爪等の支持部材を接することなく、該宝石本来の輝きを表出できることとなる。
従って、立爪等による宝石が隠れてしまう状態を防ぐことができる。
更には隣り合う支持宝石の輝きによって、更に中心宝石をより美しく表出でき、デザイン的に優れた宝石の提供を可能とするものである。
【００１１】
本図に示す宝石としてはダイヤモンドを一例として明示するが、特にダイヤモンドに関しては光の透過や反射によってダイヤモンドのカット面から生じる光の輝きが極めて大事であり、隣り合う支持宝石類としてダイヤモンドを用いることによって、該支持ダイヤモンドのカット面の光の透過や反射によって更なる輝きを表出可能とするものである。
尚、この場合に限らず例えば支持宝石に他の宝石類例えばエメラルドやサファイヤ或いは珊瑚、水晶、ルビー、ヒスイ、トパーズ等を支持宝石として用いたものであってもよい。
【００１２】
この場合であってもそれぞれの宝石によって他の宝石を引き立たせることができ、よりデザイン的にすばらしい宝石の提供を可能とする。
もとより中心宝石がダイヤモンドではなく他の宝石類であってももちろんよい。
尚、ガードル部での支持を明示しているが、これに限らず例えば支持すべき中心宝石例えばダイヤモンドのパビリオン部に支持宝石のガードル部が接して支持するものでもよく、或いはその逆即ち中心となる支持すべき宝石のガードル部に他の支持宝石のパビリオン部が接して支持するものでもよい。
【００１３】
図２は、中心宝石として３つの大きな宝石1を有し、この３つの各宝石はそれぞれ他の宝石に接する状態で略三角状に配設さている。
この場合中央部に位置する位置の宝石１０が最も大きく、更にこの宝石の左右上方方向に該大きな宝石よりやや小さな２つの宝石１１が配置されており、この３つで中心宝石１を構成する。
更にこの３つの中心宝石のそれぞれの接した位置の外部に小さい宝石３を３つ有し、更にこれらの外周を囲んで計１３個の中程度の宝石２が配設されている。
【００１４】
これらの小さい宝石３及び中程度の宝石２がそれぞれ中央部にある３つの中心宝石１を外周から接した状態で囲んで支持されているものである。
従って小さい宝石３は及び中程度の宝石２が支持宝石となって中心宝石１を支持するものである。
本図に示すこれらの宝石の大きさはそれぞれの位置に応じて若干差を持たせており、全体的にハート型の形状を表出するものであり、支持状態として全体的にハート型になるように組んだ一例を示す図である。
尚、中程度の宝石３や小さい宝石２に関して、それぞれ立爪５１によって土台５に支持されている。
この場合立爪５１の配置位置は外周に位置する各支持宝石２、３を支持可能とする立爪５１であり、本図構成は一例であってこの形状に限定されるものではない。
【００１５】
図３は、中央部に中心宝石1を配し、その上下左右にそれぞれ支持宝石として中程度の宝石２を配し、更に四方に配した支持宝石２間である四箇所にそれぞれ小さい宝石３を配した他の支持構造の例を示す図である。
この場合上下左右の中程度の支持宝石２の外周端の一端には立爪５１によって支持されており、四箇所に配した小さい宝石と外中程度の宝石とが接する外周部分にもそれぞれ立爪５１を有している。
この場合、立爪５１に関しては特に支持宝石２の外周端に設けた立爪５１にあっては土台５の支持用の柱部５０や土台部５から構成されているものであり、他の形状と若干異なって明示するが、これは一例であり、この形態に限定されるものではない。
【００１６】
従って、立爪５１で、外周円周部分での支持を含む支持用の小さい宝石３と中程度の宝石２即ち支持宝石をそれぞれ任意の位置に支持するが、中心宝石１に関してはその外周に配置した該支持宝石２、３によって支持されることとなる。
図４は、図３に係る宝石を横方向から視認した図であり、土台５上の柱部５０間にはネックレスのチェーン６が貫通しており、更に土台５も宝石類を支持する支持台５２に立爪５１を有し、該支持台５２と間隔をあけて底部５３を有する。
【００１７】
即ち底部５３と支持台５２との間は柱部５０によって支持されており、該柱部５０間にチェーン６が貫通している。
更に該支持台５２には宝石類を支持する立爪５１を有しているものである。
但し、立爪５１によって支持する宝石２、３は外周部分に位置する所謂支持宝石であって、中心部分にある宝石１は支持宝石２、３によって支持されるものである。
【００１８】
本図のように宝石類の下部に空洞を有するのは、ダイヤモンドの透過光や反射光をよりきれいに表出するためである。
以上のように、支持すべき宝石において、少なくとも一以上の宝石をその外周部分に位置する他の宝石で支持することによって、その宝石類によって支持された宝石は極めて見た目の優れた外観を呈することができ、従来のように立て爪などによって一部隠れてしまうようなことを防止できると共に支持する宝石との連接によって更なる美観を表出できるものである。
【００１９】
尚、支持宝石に関しては本明細書の説明上、図面には立爪にて支持宝石を支持する明示を行っているが、これに限らず土台部分に孔や溝等を有して支持宝石を嵌着又はそうに祐などすることによって定位置に配置するものであってもよい。
更に立爪にて係止するものに限らず例えばロウ付けによって定位置に支持宝石を配置するものであってももちろんよい。
【００２０】
もとより、支持台にロウ付けによって配置するものでも或いは支持宝石間における支持においてロウ付けによってそれぞれの支持宝石を 定位置に支持可能とするものであってもよい。
或いは、中心宝石を支持宝石にて私事する場合にその接する位置において補強用のロウ付けをしておくものであってもよい。
尚、本発明は宝石の支持構造であって、この様な構造によって支持された宝石は例えばネックレスに限らず指輪、ブレスレット、イヤリング或いはこれらに限らず各種の身飾品や日用品等に宝石を配する場合に用いられるものであってもよいものである。
【図面の簡単な説明】
【００２１】
【図１】本発明に係る宝石の支持構造の一例を示す図
【図２】本発明に係る宝石の支持構造の他の一例を示す図
【図３】本発明に係る宝石の支持構造の他の一例を示す図
【図４】図３に示す宝石を横方向から視認した状態を示す図
【符号の説明】
【００２２】
１    宝石 (中心宝石)
２    宝石 (支持宝石)
３    宝石 (支持宝石)
５    土台
５０  柱部
５１  立爪
５２  支持台
５３  底部
６    ネックレスのチェーン
【図１】
2007167395.tif 000003
【図２】
2007167395.tif 000004
【図３】
2007167395.tif 000005
【図４】
2007167395.tif 000006